(57)【特許請求の範囲】
【請求項１】
複数の音声入力手段と、記憶手段と、制御手段と、音声信号選択手段と、ターゲット音声情報選択手段と、音声変換手段とを備えるカラオケ装置であって、
前記各音声入力手段は、入力される音声信号を前記音声信号選択手段に出力し、
前記記憶手段は、楽曲データを記憶し、
前記楽曲データは、複数のターゲット音声情報と、音声信号を楽曲の進行に同期して指定する音声信号指定情報と、ターゲット音声情報を楽曲の進行に同期して指定するターゲット音声指定情報とを含み、
前記制御手段は、前記記憶手段から楽曲データを読み出して出力し、
前記音声信号選択手段は、読み出される楽曲データの音声信号指定情報により指定される何れかの音声入力手段の音声信号を出力し、
前記ターゲット音声情報選択手段は、読み出される楽曲データのターゲット音声指定情報により指定される何れかのターゲット音声情報を出力し、
前記音声変換手段は、前記音声信号選択手段が出力する音声信号を前記ターゲット音声情報選択手段が出力するターゲット音声情報に基づいて音声変換して変換音声信号を出力する
カラオケ装置。
【請求項２】
複数の音声入力手段と、記憶手段と、指定手段と、制御手段と、音声信号選択手段と、ターゲット音声情報選択手段と、音声変換手段とを備えるカラオケ装置であって、
前記各音声入力手段は、入力される音声信号を前記音声信号選択手段に出力し、
前記記憶手段は、楽曲データを記憶し、
前記楽曲データは、複数のターゲット音声情報と、ターゲット音声情報を楽曲の進行に同期して指定するターゲット音声指定情報とを含み、
前記指定手段は、使用者による操作に基づいて何れかの音声入力手段を指定し、
前記制御手段は、前記記憶手段から楽曲データを読み出して出力し、
前記音声信号選択手段は、前記指定手段により指定される音声入力手段の音声信号を出力し、
前記ターゲット音声情報選択手段は、読み出される楽曲データのターゲット音声指定情報により指定される何れかのターゲット音声情報を出力し、
前記音声変換手段は、前記音声信号選択手段が出力する音声信号を前記ターゲット音声情報選択手段が出力するターゲット音声情報に基づいて音声変換して変換音声信号を出力する
カラオケ装置。
【請求項３】
複数の音声入力手段と、記憶手段と、指定手段と、制御手段と、音声信号選択手段と、ターゲット音声情報選択手段と、音声変換手段とを備えるカラオケ装置であって、
前記各音声入力手段は、入力される音声信号を前記音声信号選択手段に出力し、
前記記憶手段は、複数のターゲット音声情報を含む楽曲データを記憶し、
前記指定手段は、使用者による操作に基づいて何れかの音声入力手段を指定し、
前記制御手段は、前記記憶手段から楽曲データを読み出して出力し、
前記音声信号選択手段は、前記指定手段により指定される音声入力手段の音声信号を出力し、
前記ターゲット音声情報選択手段は、前記指定手段により指定される音声入力手段に対応付けられたターゲット音声情報を出力し、
前記音声変換手段は、前記音声信号選択手段が出力する音声信号を前記ターゲット音声情報選択手段が出力するターゲット音声情報に基づいて音声変換して変換音声信号を出力する
カラオケ装置。
【請求項４】
前記変換音声信号と、前記音声信号選択手段によって選択された音声信号以外の音声信号とをミキシングして出力するミキシング手段を備える
請求項１から３の何れかに記載のカラオケ装置。
【請求項５】
前記制御手段は、前記音声信号選択手段が何れの音声入力手段からの音声信号を選択して出力したのかを表示手段に表示させる
請求項１から４の何れかに記載のカラオケ装置。
【発明の詳細な説明】
【０００１】
【発明の属する技術分野】
本発明は、カラオケ装置に関する。
【０００２】
【従来の技術】
近年、カラオケのアミューズメント性が求められており、さらなるカラオケの人気の向上を図るためには、種々の付加的な機能をカラオケ装置に付加することが不可欠となってきている。
【０００３】
このような要求に応えるカラオケ装置として、例えば、マイクから入力された音声の周波数特性などを変えて出力する音声変換装置を備えたカラオケ装置が提案されている。このようなカラオケ装置によれば、歌唱者の歌唱音声のピッチを変換することにより、例えば、男性の声を女性の声に、またはその逆に変換させることができる。
【０００４】
【発明が解決しようとする課題】
しかしながら、上述したような従来の音声変換装置を設けたカラオケ装置においては、音声の変換は行われるものの、単に声質を変えることだけに止まっていたので、例えば、特定の歌唱者（プロの歌手等）の声に似せるように変換するということはできなかった。
【０００５】
また、この音声変換装置は、１つのマイクから入力された音声信号を変換するものである。従って、デュエット曲のように複数の人が複数のマイクを用いて歌う場合に、それぞれの歌唱者の音声を変換するためには、マイクの本数と同数の音声変換装置をカラオケ装置に設ける必要があった。
【０００６】
本発明は、以上のような背景に鑑みてなされたものであり、複数のマイクから入力される歌唱音声を、特定の歌唱者の音声に似せることができるカラオケ装置を提供することを目的としている。
【０００７】
【課題を解決するための手段】
上述した課題を解決するために、請求項１に記載のカラオケ装置は、複数の音声入力手段と、記憶手段と、制御手段と、音声信号選択手段と、ターゲット音声情報選択手段と、音声変換手段とを備えるカラオケ装置であって、前記各音声入力手段は、入力される音声信号を前記音声信号選択手段に出力し、前記記憶手段は、楽曲データを記憶し、前記楽曲データは、複数のターゲット音声情報と、音声信号を楽曲の進行に同期して指定する音声信号指定情報と、ターゲット音声情報を楽曲の進行に同期して指定するターゲット音声指定情報とを含み、前記制御手段は、前記記憶手段から楽曲データを読み出して出力し、前記音声信号選択手段は、読み出される楽曲データの音声信号指定情報により指定される何れかの音声入力手段の音声信号を出力し、前記ターゲット音声情報選択手段は、読み出される楽曲データのターゲット音声指定情報により指定される何れかのターゲット音声情報を出力し、前記音声変換手段は、前記音声信号選択手段が出力する音声信号を前記ターゲット音声情報選択手段が出力するターゲット音声情報に基づいて音声変換して変換音声信号を出力する。
【０００８】
請求項２に記載のカラオケ装置は、複数の音声入力手段と、記憶手段と、指定手段と、制御手段と、音声信号選択手段と、ターゲット音声情報選択手段と、音声変換手段とを備えるカラオケ装置であって、前記各音声入力手段は、入力される音声信号を前記音声信号選択手段に出力し、前記記憶手段は、楽曲データを記憶し、前記楽曲データは、複数のターゲット音声情報と、ターゲット音声情報を楽曲の進行に同期して指定するターゲット音声指定情報とを含み、前記指定手段は、使用者による操作に基づいて何れかの音声入力手段を指定し、前記制御手段は、前記記憶手段から楽曲データを読み出して出力し、前記音声信号選択手段は、前記指定手段により指定される音声入力手段の音声信号を出力し、前記ターゲット音声情報選択手段は、読み出される楽曲データのターゲット音声指定情報により指定される何れかのターゲット音声情報を出力し、前記音声変換手段は、前記音声信号選択手段が出力する音声信号を前記ターゲット音声情報選択手段が出力するターゲット音声情報に基づいて音声変換して変換音声信号を出力する。
【０００９】
また、請求項３に記載のカラオケ装置は、複数の音声入力手段と、記憶手段と、指定手段と、制御手段と、音声信号選択手段と、ターゲット音声情報選択手段と、音声変換手段とを備えるカラオケ装置であって、前記各音声入力手段は、入力される音声信号を前記音声信号選択手段に出力し、前記記憶手段は、複数のターゲット音声情報を含む楽曲データを記憶し、前記指定手段は、使用者による操作に基づいて何れかの音声入力手段を指定し、前記制御手段は、前記記憶手段から楽曲データを読み出して出力し、前記音声信号選択手段は、前記指定手段により指定される音声入力手段の音声信号を出力し、前記ターゲット音声情報選択手段は、前記指定手段により指定される音声入力手段に対応付けられたターゲット音声情報を出力し、前記音声変換手段は、前記音声信号選択手段が出力する音声信号を前記ターゲット音声情報選択手段が出力するターゲット音声情報に基づいて音声変換して変換音声信号を出力する。
【００１０】
また、請求項４に記載のカラオケ装置は、請求項１から３のいずれか１の請求項に記載の構成において、前記変換音声信号と、前記音声信号選択手段によって選択された音声信号以外の音声信号とをミキシングして出力するミキシング手段を備えることを特徴としている。さらに、請求項５に記載のカラオケ装置は、請求項１から４の何れかに記載の構成において、前記制御手段は、前記音声信号選択手段が何れの音声入力手段からの音声信号を選択して出力したのかを表示手段に表示させることを特徴としている。
【００１１】
【発明の実施の形態】
以下、図面を参照して、本発明の実施形態について説明する。以下、図面を参照して、本発明の実施形態について説明する。かかる実施の形態は、本発明の一形態を示すものであり、この発明を限定するものではなく、本発明の範囲内で任意に変更可能である。
【００１２】
Ａ：第１の実施形態
Ａ−１：第１の実施形態の構成
図１は、本発明の第１の実施形態であるカラオケ装置の全体の構成を示すブロック図である。同図に示すように、このカラオケ装置は、ＣＰＵ１、ＲＯＭ２、ＲＡＭ３、操作部４、ＨＤＤ（ハードディスク装置）５、表示部６、音源７、マイク８ａおよび８ｂ、音声変換処理部９ならびにミキサ１０により構成されている。
【００１３】
ＣＰＵ１は、このカラオケ装置の制御中枢であり、バス１００を介して接続されたＲＯＭ２、ＲＡＭ３、操作部４、ＨＤＤ５、表示部６、音源７および音声変換処理部９との間で各種情報の授受を行うことにより、このカラオケ装置の全体を制御する。また、ＲＯＭ２には、このカラオケ装置を起動するためのイニシャルプログラム等の制御プログラムが記憶されている。また、ＲＡＭ３は、ＣＰＵ１によって主記憶として使用されるとともに、カラオケ装置に用いる楽曲データを記憶するための手段として使用される。
【００１４】
操作部４は、カラオケ装置本体の前面等に設けられており、曲番号を入力するためのテンキーやカラオケ装置を操作するためのキーおよび摘み等を備えている。ユーザは、この操作部４を操作することにより、ＣＰＵ１に対し、曲番号の入力、音量の調節およびキーコントロール等の指示を与えることができるのである。なお、カラオケ装置の操作は、図示しないリモコンを操作することによっても可能である。
【００１５】
また、ＨＤＤ５には、楽曲データファイルおよびプログラムファイルが記憶されている。
【００１６】
楽曲データファイルは、カラオケ演奏を制御するための楽曲データによって構成されている。これらの各楽曲データは、演奏制御データ部とターゲット音声情報とを含んでいる。
【００１７】
ここで、演奏制御データ部は、楽器演奏を制御するための演奏トラック、歌詞表示を制御するための歌詞トラック等の複数のトラックによって構成されている。そして、これらの各トラックは、複数のイベントデータと、各イベントデータの読み出しを行う時間間隔を指定するデュレーションデータとにより構成されるシーケンスデータである。
【００１８】
これらの各トラックのうちの演奏トラックは、楽音信号の生成制御を指示する演奏イベントデータと、デュレーションデータとにより構成されている。また、デュエット曲の楽曲データには、図２に示すように、演奏イベントデータおよびデュレーションデータの他、切換情報が含まれている。ここで、切換情報とは、音声変換処理部９中の音声変換器（詳細は後述）に供給される音声信号およびターゲット音声情報とを指定するための情報である。なお、この切換情報の詳細は後述する。また、歌詞トラックは、歌詞表示の制御を指示する歌詞表示イベントデータとデュレーションデータとにより構成されるシーケンスデータである。
【００１９】
また、楽曲データ中のターゲット音声情報は、例えば、当該楽曲の歌手（ターゲット）による歌唱を表す情報である。ここで、デュエット曲の楽曲データには、例えば、男性歌手の男性パートについての歌唱を表すターゲット音声情報と、女性歌手の女性パートについての歌唱を表すターゲット音声情報といった具合に、複数のターゲット音声情報が含まれている。なお、以下の説明においては、デュエット曲の楽曲データに含まれるターゲット音声情報を、それぞれターゲット音声情報ＡおよびＢとする。
【００２０】
また、ＨＤＤ５に格納された上記プログラムファイルは、システムプログラムおよびアプリケーションプログラム等の制御プログラムによって構成されている。ＣＰＵ１は、カラオケ装置の電源投入時に、上述したＲＯＭ２内のイニシャルプログラムに従ってこれらの各制御プログラムをＨＤＤ５からＲＡＭ３にロードし、以後、ＣＰＵ１は、このＲＡＭ３内に格納された制御プログラムを実行することによってカラオケ装置全体の制御を行うのである。
【００２１】
上述したアプリケーションプログラムには、カラオケ演奏を制御するためのシーケンスプログラム等が含まれている。このシーケンスプログラムは、ユーザによって指定された曲番号に対応した楽曲データをＲＡＭ３にロードし、この楽曲データ中の各イベントデータを順次読み出して所定の処理部に出力するといったカラオケ演奏の制御を行うためのプログラムである。さらに詳述すると、ＣＰＵ１は、このシーケンスプログラムに従い、楽曲データ中の演奏トラックに含まれる演奏イベントデータを読み出した際には当該演奏イベントデータを音源７に、切換情報を読み出した際には当該切換情報を音声変換処理部９に、歌詞トラック中の歌詞表示イベントデータを読み出した際には当該歌詞表示イベントデータを表示部６に、それぞれ出力する。また、ＣＰＵ１は、このシーケンスプログラムに従って、楽曲データ中のターゲット音声情報を音声変換処理部９に出力する。ここで、演奏される楽曲がデュエット曲である場合には、ＣＰＵ１は、楽曲データに含まれるターゲット音声情報ＡおよびＢの両方を音声変換処理部９に出力する。
【００２２】
また、表示部６は、ＣＰＵ１によって供給される歌詞表示イベントデータに従って歌詞の文字列を生成するとともに、これをＬＤ再生装置（図示略）から供給される背景映像信号と合成して、ＣＲＴ等のディスプレイ装置（図示略）に表示する。
【００２３】
音源７は、ＣＰＵ１によって供給される演奏イベントデータに従って、伴奏音等の楽音信号を生成して出力する。マイク８ａおよび８ｂは、歌唱者が発する歌唱音声を電気信号（以下、「音声信号」という）に変換し、この音声信号を音声変換処理部９に出力する。なお、以下では、マイク８ａから入力された音声信号を音声信号Ａ、マイク８ｂから入力された音声信号を音声信号Ｂとして説明する。
【００２４】
音声変換処理部９は、マイク８ａおよび８ｂから入力される音声信号ＡおよびＢのうちのいずれかの音声信号に対して、出力される音声を当該楽曲の歌手の音声に似せるための処理を行う手段である。また、ミキサ１０は、音源７から供給される楽音信号と、音声変換処理部９から供給される変換音声信号（詳細は後述する）とをミキシングして出力する。
【００２５】
図３は、以上説明した本実施形態にかかるカラオケ装置の機能構成を示すブロック図である。なお、図３においては、デュエット曲が演奏される場合を例示している。
【００２６】
同図に示すように、音声変換処理部９は、音声信号セレクタ９１、ターゲット音声情報セレクタ９２および音声変換器９３により構成されている。ここで、音声信号セレクタ９１にはマイク８ａおよび８ｂから音声信号ＡおよびＢが供給され、ターゲット音声情報セレクタ９２にはＣＰＵ１によってターゲット音声情報ＡおよびＢが供給される。
【００２７】
音声信号セレクタ９１は、マイク８ａおよび８ｂから入力される音声信号ＡおよびＢのうちのいずれかを選択して音声変換器９３に出力する。また、ターゲット音声情報セレクタ９２は、ＣＰＵ１によって供給されるターゲット音声情報ＡおよびＢのうちのいずれかを選択して音声変換器９３に出力する。そして、この音声信号セレクタ９１およびターゲット音声情報セレクタ９２が、それぞれ供給される各情報のいずれの情報を選択して出力するかは、ＣＰＵ１によって制御されることとなる。
【００２８】
また、音声変換器９３は、音声信号セレクタ９１によって供給される音声信号を、ターゲット音声情報セレクタ９２によって供給されるターゲット音声情報に基づいて変換し、これにより変換音声信号を生成してミキサ１０に出力する。これにより、マイク８ａおよび８ｂのうちのいずれか１のマイクから入力された歌唱者の音声が、演奏される楽曲の歌手の歌い方に似せられた音声により出力されることとなる。以上が本実施形態であるカラオケ装置の構成である。
【００２９】
Ａ−２：第１の実施形態の動作
次に、本実施形態であるカラオケ装置の動作について説明する。なお、以下の説明においては、デュエット曲が演奏され、複数の歌唱者がマイク８ａおよび８ｂの両方のマイクを使用して歌唱する場合を例に説明する。
【００３０】
まず、操作部４またはリモコンによって曲番号が入力されると、ＣＰＵ１は、当該曲番号に対応した楽曲データをＨＤＤ５からＲＡＭ３にロードする。以後、ＣＰＵ１は、上述したシーケンスプログラムに従い、楽曲データ中のデュレーションデータによって指定されるタイミングでイベントデータを読み出し、上述した所定の処理部に出力する。そして、演奏イベントデータを受け取った音源７は、当該演奏イベントデータに従って楽音信号を生成してミキサ１０に出力し、歌詞表示イベントデータを受け取った表示部６は、当該歌詞表示イベントデータに従って歌詞の文字列を生成し、ディスプレイ装置に表示する。
【００３１】
また、ＣＰＵ１は、楽曲データ中の演奏トラックに含まれる切換情報を読み出すと、該切換情報に従って音声信号セレクタ９１およびターゲット音声情報セレクタ９２を制御する。以下、この切換情報について詳述する。
【００３２】
図４は、切換情報の具体例を示す図である。図４に示すように、楽曲データの演奏トラック中に含まれる各切換情報は、音声信号セレクタ９１が、マイク８ａおよび８ｂから入力される音声信号ＡおよびＢのうちのいずれを選択して出力すべきかを指定するための情報と、ターゲット音声情報セレクタ９２が、ＣＰＵ１によって供給されるターゲット音声情報ＡおよびＢのうちのいずれのターゲット音声情報を選択して出力すべきかを指定するための情報とを含んでいる。そして、ＣＰＵ１は、デュレーションデータによって指定されるタイミングで切換情報を読み出すと、該切換情報に従って音声信号セレクタ９１およびターゲット音声情報セレクタ９２を制御する。この結果、切換情報によって指定された音声信号およびターゲット音声情報が音声変換器９３に供給されることとなるのである。
【００３３】
以上示した処理により、音声信号セレクタ９１によって音声信号を、ターゲット音声情報セレクタ９２によってターゲット音声情報セレクタを供給された音声変換器９３は、以下のａ〜ｉに示す処理を行う。
【００３４】
ａ．ステップＳ１
まず音声信号セレクタ９２によって供給される音声信号をリアルタイムでＦＦＴ（Ｆａｓｔ  Ｆｏｕｒｉｅ  Ｔｒａｎｓｆｏｒｍ）を含むＳＭＳ（Ｓｐｅｃｔｒａｌ  Ｍｏｄｅｌｉｎｇ  Ｓｙｎｔｈｅｓｉｓ）分析を行い、フレーム単位で正弦波成分（Ｓｉｎｅ成分）を抽出するとともに、音声信号および正弦波成分からフレーム単位で残差成分（Ｒｅｓｉｄｕａｌ成分）Ｒｍｅを生成する。これと並行して、音声信号が無声音（含む無音）か否かを判別し、無声音である場合には、以下のＳ２からＳ５の処理は行わず、入力された音声信号をそのまま出力することとなる。この場合において、ＳＭＳ分析としては、前回のフレームにおけるピッチに応じて分析窓幅を変更するピッチ同期分析を採用している。
【００３５】
ｂ．ステップＳ２
次に、入力された音声信号が有声音である場合には、抽出した正弦波成分から元属性データであるピッチ、アンプ（振幅）およびスペクトラル・シェイプを抽出する。
【００３６】
ｃ．ステップＳ３
ＣＰＵ１によって供給されるターゲット音声情報から、歌唱者の音声信号のフレームに対応したフレームの属性データ（ターゲット属性データ＝ピッチ、アンプおよびスペクトラル・シェイプ）を取り出す。
【００３７】
ｄ．ステップＳ４
次に、歌唱者に対応する元属性データと、ターゲット音声情報に対応するターゲット属性データとを選択して組み合わせることにより、新しい属性データ（新属性データ＝ピッチ、アンプおよびスペクトラル・シェイプ）を得る。そして、得られた新属性データを用いて逆ＦＦＴを行い、当該フレームの正弦波成分ＳＩＮｎｅｗを求める。
【００３８】
ｅ．ステップＳ５
そして、ステップＳ４で求めた正弦波成分ＳＩＮｎｅｗと、ステップＳ１で求めた残差成分Ｒｍｅあるいはターゲット音声情報の残差成分のいずれか一方とを加算して変換音声信号を得る。このようにして得られた変換音声信号は、ターゲット音声情報の正弦波成分または残差成分の特徴を有する。すなわち、再生される音声は、マイク８ａおよび８ｂのいずれかを用いた歌唱者の歌声が、演奏される楽曲の歌手が歌った歌声の特徴またはこれに類似した特徴を有する歌声になるのである。そして、この変換音声信号は、ミキサ１０に出力される。以上が本実施形態であるカラオケ装置における音声変換器９３の動作の詳細である。
【００３９】
ミキサ１０は、音源７から供給される楽音信号と、音声変換器９３から供給される変換音声信号とをミキシングして出力する。このミキサ１０の出力信号は、アンプ１１によって増幅されスピーカ１２から出力される。
【００４０】
以上説明したように、本実施形態であるカラオケ装置によれば、音声変換器９３に供給される複数の音声信号およびターゲット音声情報は、楽曲演奏中に順次切換わる構成となっている。従って、マイクの本数と同数の音声変換処理部を設けることなく、１つの音声変換処理部により、複数の歌唱者がものまねを楽しむことができる。
【００４１】
なお、以上の説明においては、マイク８ａおよび８ｂの両方を用いてカラオケ歌唱を行う場合を例に説明したが、ユーザは、マイク８ａまたは８ｂの任意のマイクを用いてカラオケ演奏を行うことができる構成としてもよい。この場合には、音声信号セレクタ９１を省略し、マイク８ａおよび８ｂから入力された音声信号の両方を、音声変換器９３に供給するように構成すればよい。このようにすることにより、１人のみの歌唱者による歌唱音声を、演奏される楽曲の歌手に似せることができる。
【００４２】
なお、本実施形態においては、マイク８ａから入力される音声信号を音声信号Ａ、マイク８ｂから入力される音声信号を音声信号Ｂとして説明したが、音声信号ＡおよびＢを、マイク８ａおよび８ｂのうちのいずれのマイクから入力された音声信号とするかを、ユーザが任意に設定できる構成としてもよい。このようにすることにより、図４に例示するような切換情報を用いた場合には、マイク８ａから入力された音声信号は、ターゲット音声情報Ｂに基づいて変換され、マイク８ｂから入力された音声信号はターゲット音声信号Ａに基づいて変換されることとなる。すなわち、マイク８ａによって男性パートを、マイク８ｂによって女性パートを歌唱することができるとともに、歌唱者の指示によって、マイク８ａによって女性パートを、マイク８ｂによって男性パートを、それぞれ歌唱することができるようになる。
【００４３】
また、音声信号セレクタ９１が選択する音声信号を指定するための切換情報と、ターゲット音声情報セレクタ９２が選択するターゲット音声情報を指定するための切換情報とを、楽曲データ中に別個に設ける構成としてもよい。
【００４４】
Ｂ：第２の実施形態
次に、本発明の第２の実施形態であるカラオケ装置について説明する。
上記第１の実施形態にかかるカラオケ装置においては、ＣＰＵ１が楽曲データ中の切換情報に従って音声変換器９３に供給される音声信号の切換えを制御する構成とした。これに対し、本実施形態であるカラオケ装置においては、マイクに設けられたスイッチ（以下、「切換スイッチ」という）が押されるごとに、音声変換器９３に入力される音声信号が切り換わる構成となっている。なお、本実施形態にかかるカラオケ装置の各部のうち、上記第１の実施形態にかかるカラオケ装置と共通する部位については、同一の符号を付して、その説明を省略する。
【００４５】
本実施形態であるカラオケ装置においては、楽曲データ中の切換情報は、ターゲット音声情報セレクタ９２が選択して出力すべきターゲット音声情報を指定する情報のみを含んでいる。そして、上記第１の実施形態と同様に、ＣＰＵ１は、該切換情報に従ってターゲット音声情報セレクタ９２を制御するのである（図５参照）。
【００４６】
また、図５に示すように、マイク８ａおよび８ｂには、切換スイッチ８１ａおよび８１ｂが設けられており、ユーザは、この切換スイッチの押下により、マイク８ａおよび８ｂから入力された音声信号ＡおよびＢのうちのいずれを音声変換器９３に出力するかを指定できる。さらに詳述すると、以下の通りである。
【００４７】
楽曲の演奏中、ユーザがマイクに設けられた切換スイッチを押下すると、音声信号セレクタ９１は、マイク８ａおよび８ｂから供給される音声信号ＡおよびＢのうち、切換スイッチが押下されたマイクから供給される音声信号を選択して出力するように切換わる。すなわち、例えば、マイク８ａから入力された音声信号Ａが音声信号セレクタ９１によって選択され、音声変換器９３に出力されている場合に、マイク８ａに設けられた切換スイッチ８１ａが押下された場合には、音声信号セレクタ９１は、継続して音声信号Ａを音声変換器９３に出力する。これに対し、マイク８ｂに設けられた切換スイッチ８１ｂが押下された場合には、音声信号セレクタ９２は、音声信号Ｂを音声変換器９３に出力するように切換わるのである。
【００４８】
このように、本実施形態であるカラオケ装置においては、ユーザが任意に、ものまね歌唱できるマイクを選択できる構成となっているので、カラオケ歌唱のゲーム性を向上させることができる。
【００４９】
Ｃ：第３の実施形態
次に、本発明の第３の実施形態であるカラオケ装置について説明する。
本実施形態であるカラオケ装置においては、上記第１または第２の実施形態にかかるカラオケ装置と比較して、楽曲データの構成が異なる。上記第１または第２の実施形態であるカラオケ装置においては、デュエット曲の楽曲データ中のターゲット音声情報Ａは、男性歌手による男性パートについての歌唱を表し、ターゲット音声情報Ｂは、女性歌手による女性パートについての歌唱を表すデータであった。これに対し、本実施形態であるカラオケ装置において用いられるデュエット曲の楽曲データには、例えば、ターゲット音声情報Ａは、男性歌手による当該楽曲全体（女性パートにおける歌唱も含む）の歌唱を表し、ターゲット音声情報Ｂは、女性歌手による当該楽曲全体（男性パートにおける歌唱も含む）の歌唱を表すデータとなっている。さらに、本実施形態にかかるカラオケ装置で用いられる楽曲データには、上記切換情報が含まれない構成となっている。そして、図６に示すように、音声信号セレクタが選択する音声信号およびターゲット音声情報セレクタが選択するターゲット音声情報は、マイクに設けられた切換スイッチの押下によって、ユーザが指定できる構成となっている。
【００５０】
本実施形態にかかるカラオケ装置の動作は、以下の通りである。
楽曲の演奏中、ユーザがマイクに設けられた切換スイッチを押下すると、音声信号セレクタ９１は、マイク８ａおよび８ｂから供給される音声信号ＡおよびＢのうちの、切換スイッチの押下があったマイクから供給される音声信号を選択して出力するように切換わる。これと同時に、ターゲット音声情報セレクタ９２は、ＣＰＵ１によって供給されるターゲット音声情報ＡおよびＢのうち、それまで音声変換器９３に出力していた音声信号とは別の音声信号を音声変換器９３に出力するように切換わる。具体的には以下の通りである。
【００５１】
音声信号セレクタ９１によって音声信号Ａが、ターゲット音声情報セレクタ９２によってターゲット音声情報Ａが、それぞれ選択されて、音声変換器９３に出力されている場合に、マイク８ｂに設けられた切換スイッチ８１ｂが押下された場合には、音声変換処理部９は、以下の動作を行う。
【００５２】
すなわち、音声信号セレクタ９１は、供給される音声信号ＡおよびＢのうちの音声信号Ｂを選択して音声変換器９３に出力するように切換わる。これと同時に、ターゲット音声情報セレクタ９２は、供給されるターゲット音声情報ＡおよびＢのうちのターゲット音声情報Ｂを音声変換器９３に出力するように切換わるのである。
【００５３】
これに対し、マイク８ａに設けられた切換スイッチ８１ａが押下された場合には、音声信号セレクタ９１は、継続して音声信号Ａを音声変換器９３に出力するとともに、ターゲット音声情報セレクタ９２は、ターゲット音声情報Ｂを音声変換器９３に供給するように切換わる。なお、この場合に、ターゲット音声情報セレクタ９２は、継続してターゲット音声情報Ａを音声変換器９３に供給する構成としてもよい。
【００５４】
以上説明したように、本実施形態であるカラオケ装置においては、音声信号Ａがターゲット音声情報Ａと合成される場合と、音声信号Ｂがターゲット音声情報Ｂと合成される場合とを切換えることができるとともに、この切換のタイミングを各歌唱者が任意に設定できる構成となっている。このように、本実施形態であるカラオケ装置によれば、自由度の高いものまね歌唱を行うことができるので、カラオケの面白さが増大する。
【００５５】
Ｃ：変形例
以上この発明の一実施形態について説明したが、上記実施形態はあくまでも例示であり、上記実施形態に対しては、本発明の趣旨から逸脱しない範囲で様々な変形を加えることができる。変形例としては、例えば以下のようなものが考えられる。
【００５６】
＜変形例１＞
上記第１の実施形態においては、デュエット曲ではない曲（ソロ曲）の楽曲データには切換情報が含まれない構成としたが、これに限らず、例えば、音声信号セレクタ９１が選択する音声信号を指定する情報のみを含む切換情報を楽曲データ中に含ませる構成としてもよい。これにより、ソロ曲の演奏に伴って、マイク８ａおよび８ｂを用いて、複数の歌唱者が交互にものまねを楽しむことができる。
【００５７】
＜変形例２＞
上記第１および第２の実施形態においては、男性歌手による男性パートの歌唱を表すターゲット音声情報、および女性歌手による女性パートの歌唱を表すターゲット音声情報という複数のターゲット音声情報が楽曲データ中に含まれる構成としたが、これに限らず、例えば、１つのターゲット音声情報中に、男性歌手による歌唱と、女性歌手による歌唱の両方を含ませる構成としてもよい。このようにした場合、ターゲット音声情報セレクタ９２は不要となる。
【００５８】
＜変形例３＞
上記各実施形態においては、音声変換器９３に供給されなかった音声信号を、そのままミキサ１０に出力する構成としてもよい。すなわち、ミキサ１０は、音源７から供給される楽音信号と、音声変換器９３から供給される変換音声信号と、音声信号セレクタ９１から供給される音声信号とをミキシングして出力することとなる。これにより、カラオケ演奏に伴って、一方の歌唱者の歌唱音声が当該楽曲の歌手に似せられて再生されるとともに、他方の歌唱者の音声がそのまま再生されることとなる。
【００５９】
＜変形例４＞
表示部６は、楽曲演奏中、いずれのマイクから入力された歌唱音声が、当該楽曲の歌手に似せられて出力されるのかを表示する構成としてもよい。すなわち、表示部６は、楽曲演奏開始時には、ディスプレイ装置上に「マイク１がものまね」等の表示を行う。そして、上記第１の実施形態においては切換情報が音声信号セレクタ９１に供給されるたびに、上記第２および３の実施形態においては切換スイッチが押下されるたびに、ＣＰＵ１は、その旨を表示部６に通知する。この通知を受けた表示部６は、ディスプレイ装置の表示を「マイク１がものまね」→「マイク２がものまね」といった具合に切換えるのである。このようにすることにより、歌唱者は、いずれのマイクから入力された歌唱音声が、演奏される楽曲の歌手に似せられて出力されるのかを容易に把握することができる。
【００６０】
また、ものまねの対象となる歌手（ターゲット）の名前をディスプレイ装置に表示する構成としてもよい。この変形例は、例えば、楽曲データのヘッダ中に、ものまねの対象となる歌手の名前を示す情報を含ませておき、ＣＰＵ１が楽曲データ中の切換情報を出力するタイミングで、この名前を示す情報を表示部６に順次出力することで実施することができる。
【００６１】
＜変形例５＞
上記各実施形態においては、カラオケ装置に２本のマイクを設けた場合を例に説明したが、これに限らず、３本以上のマイクをカラオケ装置に設ける構成としてもよい。また、上記第３の実施形態においては、２つのターゲット音声情報を楽曲データ中に設ける構成としたが、これに限らず、３以上のターゲット音声情報を楽曲データ中に設ける構成としてもよい。
【００６２】
【発明の効果】
以上説明したように、本発明によれば、複数の歌唱者が複数のマイクを用いて歌唱する場合であっても、当該マイクの本数と同数の音声変換処理部を設けることなく、それぞれの歌唱者が、演奏される楽曲の歌手のものまねを楽しむことができる。
【図面の簡単な説明】
【図１】本発明の第１の実施形態であるカラオケ装置の全体の構成を示すブロック図である。
【図２】同実施形態における楽曲データ中の演奏トラックの構成を示す図である。
【図３】同実施形態における機能構成を示すブロック図である。
【図４】同実施形態における切換情報の構成を示す図である。
【図５】本発明の第２の実施形態であるカラオケ装置の機能構成を示すブロック図である。
【図６】本発明の第３の実施形態であるカラオケ装置の機能構成を示すブロック図である。
【符号の説明】
１……ＣＰＵ（制御手段）、２……ＲＯＭ、３……ＲＡＭ、４……操作部、５……ＨＤＤ（記憶手段）、６……表示部、７……音源、８ａ，８ｂ……マイク（音声入力手段）、９……音声変換処理部、１０……ミキサ、１１……アンプ、１２……スピーカ、８１ａ，８１ｂ……切換スイッチ（指示手段）、９１……音声信号セレクタ（音声信号選択手段）、９２……ターゲット音声情報セレクタ（ターゲット音声情報選択手段）、９３……音声変換器（音声変換手段）、１００……バス。
【図１】
0003565065.tif 000002
【図２】
0003565065.tif 000003
【図３】
0003565065.tif 000004
【図４】
0003565065.tif 000005
【図５】
0003565065.tif 000006
【図６】
0003565065.tif 000007